(57)【要約】【課題】グロメットの軽量化と取付剛性の確保とを両立でき、しかも、製造工程および製造設備を簡素にできる低コストのグロメットを提供する。【解決手段】ワイヤハーネスの電線群に外装された状態でパネルの長穴状の開口を閉塞するグロメットであって、開口の内周縁部に嵌合する外周嵌合部１２と、これと一体に形成されつつパネルの片面側に突出する方向に延びる筒状部１３とを備え、外周嵌合部１２は、開口の内周縁部に対してパネルの一面側に位置する第１環状部２１と、開口の内周縁部に対してパネルの他面側に位置するとともに第１環状部２１より外径が小さい第２環状部２２と、両環状部２１、２２の間で開口の内周縁部に嵌合するくびれ部２３とを一体に形成してなり、開口の長径方向の少なくとも一端側における第１環状部２１の周方向各位置の断面積が、開口の短径方向の両端側における第１環状部２１の周方向各位置の断面積よりも小さくなっている。【選択図】図１
2015202847.tif 000002
【特許請求の範囲】
【請求項１】
ワイヤハーネスの電線群に外装された状態で、パネルに形成される長穴状の開口を閉塞するよう前記パネルに装着されるグロメットであって、
前記パネルの開口の内周縁部に嵌合する外周嵌合部と、前記外周嵌合部と一体に形成されつつ前記パネルの片面側に突出する方向に延びる筒状部と、を備え、
前記外周嵌合部は、前記開口の内周縁部に対して前記パネルの一面側に位置する第１環状部と、前記開口の内周縁部に対して前記パネルの他面側に位置するとともに前記第１環状部より外径が小さい第２環状部と、前記第１環状部および前記第２環状部の間で前記開口の内周縁部に嵌合するくびれ部とを一体に形成してなり、
前記開口の長径方向の少なくとも一端側における前記第１環状部の周方向各位置の断面積が、前記開口の短径方向の両端側における前記第１環状部の周方向各位置の断面積よりも小さくなっていることを特徴とするグロメット。
【請求項２】
前記開口の長径方向の少なくとも一端側における前記第１環状部の半径方向の幅が、前記開口の短径方向の両端側における前記第１環状部の半径方向の幅より小さくなっていることを特徴とする請求項１に記載のグロメット。
【請求項３】
前記開口の長径方向の少なくとも一端側における前記第１環状部の前記軸方向の厚さが、前記開口の短径方向の両端側における前記第１環状部の前記軸方向の厚さより小さくなっていることを特徴とする請求項１または請求項２に記載のグロメット。
【発明の詳細な説明】
【技術分野】
【０００１】
本発明は、パネルの開口部を貫通するワイヤハーネスを保護するグロメットに関する。
【背景技術】
【０００２】
従来、自動車の車体パネルやドアモジュールパネル等における貫通孔にワイヤハーネスの電線群を挿通させる場合には、その電線群を保護すべく、貫通孔の内周縁部（以下、開口縁部という）に嵌合可能なゴム弾性を有するグロメットが使用されている。そのようなグロメットにおいては、パネルの開口縁部に内嵌する環状の嵌合溝が形成されており、グロメットがパネルの開口縁部の両面側に係合するようになっている。
【０００３】
この種のグロメットとしては、例えば大径筒部の軸方向一端側に、長穴状の開口縁部に内嵌する車体係止溝を形成しつつ小径筒部を連設し、車体係止溝の内底面からの小径筒部の径方向高さを、長穴状の開口縁部の直線部では高く、同開口縁部の円弧部では低くして、グロメットの嵌合保持力を低下させることなく嵌合時の挿入力を低減させるようにしたものが知られている（例えば、特許文献１参照）。
【０００４】
また、ワイヤハーネスの電線群を貫通させる電線保持部と、その電線保持部につば状に連接された車体側への取付嵌合部とからなるグロメットにおいて、電線保持部を低硬度ゴム層で形成し、取付嵌合部を高硬度ゴム層で形成することで、グロメットの軽量化と取付剛性の確保との両立化を図ったものが知られている（例えば、特許文献２参照）。
【０００５】
さらに、車体側への取付嵌合部となる環状部分を中空にしてその内部に高圧の空気を封入し、グロメットの軽量化と取付剛性の確保との両立化を図ったものが知られている（例えば、特許文献３参照）。
【先行技術文献】
【特許文献】
【０００６】
【特許文献１】特開２００６−１２３５７２号公報
【特許文献２】特開昭６１−１０９２１１号公報
【特許文献３】特開平７−１０５７７４号公報
【発明の概要】
【発明が解決しようとする課題】
【０００７】
しかしながら、車体係止溝の内底面からの小径筒部の径方向高さを、長穴状の開口縁部の直線部と円弧部とで相違させた従来のグロメットは、嵌合時の挿入力に影響する程度のわずかな径差分だけ円弧部の径方向における頂部の高さが抑えられるものであるため、軽量化にさほど寄与できないという未解決の課題があった。
【０００８】
一方、電線保持部と取付嵌合部のゴム硬度を相違させる従来のグロメットでは、グロメットの軽量化と取付剛性の確保とを両立できるものの、電線保持部と取付嵌合部を形成する未加硫ゴムが相違するため、それらの個別の注型（成形型内への注入）のために工数が若干増えてしまうという課題があった。
【０００９】
また、中空の取付嵌合部に高圧の空気を封入する従来の後者のグロメットでは、グロメットの成形が容易でなく、高圧の空気を封入する作業も必要になるため、製造工程および製造設備が共に複雑になり、コスト高を招くという課題があった。
【００１０】
本発明は、このような従来の課題を解決するためになされたものであり、グロメットの軽量化と取付剛性の確保とを両立でき、しかも、製造工程および製造設備を簡素にできる低コストのグロメットを提供することを目的とする。
【課題を解決するための手段】
【００１１】
本発明に係るグロメットは、上記目的達成のため、ワイヤハーネスの電線群に外装された状態で、パネルに形成される長穴状の開口を閉塞するよう前記パネルに装着されるグロメットであって、前記パネルの開口の内周縁部に嵌合する外周嵌合部と、前記外周嵌合部と一体に形成されつつ前記パネルの片面側に突出する方向に延びる筒状部と、を備え、前記外周嵌合部は、前記開口の内周縁部に対して前記パネルの一面側に位置する第１環状部と、前記開口の内周縁部に対して前記パネルの他面側に位置するとともに前記第１環状部より外径が小さい第２環状部と、前記第１環状部および前記第２環状部の間で前記開口の内周縁部に嵌合するくびれ部とを一体に形成してなり、前記開口の長径方向の少なくとも一端側における前記第１環状部の周方向各位置の断面積が、前記開口の短径方向の両端側における前記第１環状部の周方向各位置の断面積よりも小さくなっている構成を有する。
【００１２】
この構成により、外周嵌合部の剛性が、長穴状の開口の短径方向の両端側では相対的に高くなり、長穴状の開口の長径方向の一端側または両端側では相対的に低くなる。したがって、筒状部に作用する外力に対してグロメットのパネルへの嵌合固定状態を保持するのに要求される剛性を実質的に低下させることなく、材料使用量を低減させてグロメットの軽量化およびコスト低減に寄与できるものとなる。なお、第１環状部の周方向各位置の断面は、中実断面であるのがよく、その場合、グロメットの他部材との機械的干渉に対する余裕隙間を増加させて、レイアウトの自由度を高めることも可能になる。
【００１３】
本発明のグロメットにおいては、前記開口の長径方向の少なくとも一端側における前記第１環状部の半径方向の幅が、前記開口の短径方向の両端側における前記第１環状部の半径方向の幅より小さくなっている構成としてもよい。
【００１４】
この構成により、周方向長さの大きい外周面側または軸方向長さの大きい内周面側で第１環状部の半径方向の幅を縮小して、所要の減量効果を得ることができる。しかも、グロメットの他部材との機械的干渉に対する余裕隙間を増加させてレイアウトの自由度を高めたり、開口の長径方向の少なくとも一端側におけるワイヤハーネスの電線群の配索形状の自由度を高めたりすることもできる。
【００１５】
なお、第１環状部の半径方向の幅を縮小すべく、開口の長径方向の少なくとも一端側で、第１環状部の外周側の湾曲面を同幅となる基準面位置より内側に偏倚させてもよいし、第１環状部の内周側の湾曲面の半径を同幅となる基準面位置より外側に偏倚させてもよい。
【００１６】
本発明のグロメットにおいては、前記開口の長径方向の少なくとも一端側における前記第１環状部の前記軸方向の厚さが、前記開口の短径方向の両端側における前記第１環状部の前記軸方向の厚さより小さくなっている構成としてもよい。
【００１７】
この構成により、開口の長径方向の一端側または両端側において、外周嵌合部の面積の大きい端面側で第１環状部の厚さを縮小して所要の減量効果を得ることができる。しかも、グロメットの他部材との機械的干渉に対する余裕隙間を増加させて、レイアウトの自由度を高めることもできる。
【００１８】
なお、この場合、グロメットの軸方向における第１環状部の両面のうち、パネルから離れる端面が、開口の短径方向の両端側の略平行部分よりもパネル側に位置するのがよい。
【発明の効果】
【００１９】
本発明によれば、グロメットの軽量化と取付剛性の確保とを両立でき、しかも、製造工程および製造設備を簡素にできる低コストのグロメットを提供することができる。
【図面の簡単な説明】
【００２０】
【図１】図１（ａ）は、本発明の第１の実施の形態に係るグロメットの開口端側から見た要部正面図であり、図１（ｂ）は、図１（ａ）のＩＢ−ＩＢ矢視断面図である。
【図２】図２（ａ）は、図１（ａ）のIIＡ−IIＡ矢視図であり、図２（ｂ）は、図２（ａ）のIIＢ−IIＢ矢視断面図である。
【図３】本発明の第１の実施の形態に係るグロメットの要部の配置説明図である。
【図４】本発明の第２の実施の形態に係るグロメットの要部側面断面図である。
【図５】図５（ａ）は、本発明の第３の実施の形態に係るグロメットにおける開口端側から見た要部正面図であり、図５（ｂ）は、図５（ａ）のＶＢ−ＶＢ矢視断面図である。
【図６】本発明の第４の実施の形態に係るグロメットの要部側面断面図である。
【発明を実施するための形態】
【００２１】
以下、本発明を実施するための実施の形態について図面を参照して説明する。
【００２２】
（第１の実施の形態）
図１から図３に示す第１の実施の形態のグロメットは、自動車用のドアグロメットの一端側部分となっている。このグロメットは、ワイヤハーネスの電線群に外装されつつ、自動車のドアパネルまたは車体パネルの一部、例えばセンターピラー部に形成された開口の内周縁部（開口縁部）に取り付けられる。そして、このグロメットは、ドアパネルまたは車体パネルの開口を電線群が貫通する部分で、開口を閉塞するカバー状をなし、防水シール機能等を発揮するようになっている。
【００２３】
まず、本実施の形態のグロメットの構成を説明する。
【００２４】
図１ないし図３に示すように、本実施の形態のグロメット１０は、自動車用のドアグロメットの一端側部分を構成しており、ゴム弾性（ゴムのような弾性、粘弾性の意）を有する弾性素材、例えば加硫ゴムまたは樹脂系のエラスマーで形成されている。
【００２５】
グロメット１０は、自動車のドアパネルまたは車体パネルの一部、例えばセンターピラー部を形成するパネル１に取り付けられる。このパネル１には、ドアパネルを車体パネルに対して開閉可能に連結させるヒンジ機構２が装着されるとともに、グロメット１０を取付け可能な長穴状の開口１ｈが形成されている。
【００２６】
グロメット１０は、円環板状（スカート状でもよい）の蓋体部１１と、蓋体部１１の外周側に一体に設けられた外周嵌合部１２と、蓋体部１１および外周嵌合部１２に対して一体に形成されつつパネル１の片面側、例えば図３中でパネル１の右側に突出する方向に延びる筒状部１３とを備えている。
【００２７】
グロメット１０の蓋体部１１および外周嵌合部１２は、互いに一体に形成されることで、パネル１への嵌合固定が可能な片側のグロメット取付部１５を構成している。
【００２８】
図３に示すように、片側のグロメット取付部１５は、パネル１に形成された長穴状の開口１ｈの内周縁部である開口縁部１ａに嵌合するように取り付けられる。
【００２９】
グロメット１０の筒状部１３は、図３に示すその一端部１３ａ側で片側のグロメット取付部１５の蓋体部１１の中央部に連結される一方、図示しない他端部側で前記ドアグロメットの他端側部分に一体に連結されている。ここにいうドアグロメットの他端側部分は、筒状部１３およびグロメット取付部１５と略同様な他の筒状部および他の片側のグロメット取付部によって構成されており、筒状部１３に他の筒状部が一体に連結されている。また、他の片側のグロメット取付部は、前述のドアパネルに形成された開口の内周縁部に取り付けられている。
【００３０】
蓋体部１１および筒状部１３は、蓋体部１１の中心部付近（中心から外れていてもよい）を貫通しつつ筒状部１３内を通る所定長さの挿通孔１１ｈを形成しており、この挿通孔１１ｈ内に、ワイヤハーネスの電線群Ｗが挿通されている。また、挿通孔１１ｈの主要部を形成する筒状部１３は、ゴム弾性を有する蛇腹管によって構成されており、可撓性および伸縮性を有している。
【００３１】
一方、外周嵌合部１２は、開口縁部１ａに対してパネル１の一面側（図２中の左方側）に位置する第１環状部２１と、開口縁部１ａに対してパネル１の他面側に位置するとともに第１環状部２１より外径が小さい第２環状部２２と、第１環状部２１および第２環状部２２の間でパネル１の開口縁部１ａに嵌合するくびれ部２３とを一体に形成してなる。
【００３２】
この外周嵌合部１２には、挿通孔１１ｈの一端側でパネル１の一面側に向かって長円形に拡径されつつ開口する孔端開口２４が形成されている。
【００３３】
また、開口１ｈの長径方向の少なくとも一端側、例えば図１（ａ）中の開口１ｈの上方側における第１環状部２１の周方向各位置の断面積は、開口１ｈの短径方向の両端側、例えば図１（ａ）中の開口１ｈの左右両側における第１環状部２１の周方向各位置の断面積よりも小さくなっている。
【００３４】
具体的には、開口１ｈの長径方向の少なくとも両端側における第１環状部２１の半径方向の幅、例えば図１（ａ）に示す湾曲領域内での第１環状部２１の幅ｗｄ１、ｗｄ２は、開口１ｈの短径方向の両端側における第１環状部２１の半径方向の幅、例えば図１（ａ）に示す直線領域内での第１環状部２１の幅ｗｄ３より小さくなっている。
【００３５】
この場合、第１環状部２１の半径方向の幅Ｗｄ１を縮小するために、開口１ｈおよび孔端開口２４の長径方向の少なくとも一端側で、第１環状部２１の外周側の湾曲面２１ａを幅ｗｄ３と同幅となる基準面位置より内側に偏倚させてもよいし、第１環状部２１の内周側の湾曲面２１ｂの半径を幅ｗｄ３と同幅となる基準面位置より外側に偏倚させてもよい。
【００３６】
すなわち、図１（ａ）における開口１ｈの上端側に示すように、第１環状部２１の外周側の半円状の湾曲面２１ａ（略長方形の開口における左右の隅部の円弧状の湾曲面でもよい）を内周側の湾曲面２１ｂと同心の相似形となる仮想の湾曲面２１ｃより内側に形成して、幅ｗｄ１を小さくしてもよい。また、図１（ａ）における開口１ｈの下端側に示すように、第１環状部２１の内周側の湾曲面２１ｂの半径を外周側の湾曲面２１ａと同心の相似形となる仮想の湾曲面２１ｄより外側に形成して、幅ｗｄ２を小さくしてもよい。
【００３７】
なお、第１環状部２１の半径方向におけるくびれ部２３の外周面２３ａと相似な形状であって略平行部分２１ｐ、２１ｑに連続する湾曲面を基準面として、外周側の湾曲面２１ａをその基準面より内側に形成し、または／および、内周側の湾曲面２１ｂをその基準面より外側に形成してもよい。
【００３８】
勿論、外周側の湾曲面２１ａは、開口１ｈの短径方向両側で長径方向に延びる外周面の略平行部分２１ｐに連続し、内周側の湾曲面２１ｂは、開口１ｈの短径方向両側で長径方向に延びる内周面２１ｂの略平行部分２１ｑに連続する。また、外周側の湾曲面２１ａおよび内周側の湾曲面２１ｂは、それぞれの湾曲開始位置からの角度θ（周方向位置）に応じて曲率半径が変化してもよい。
【００３９】
外周嵌合部１２は、また、第１環状部２１の外周側でパネル１側に向かって突出する環状のシールリップ部２５を有しており、このシールリップ部２５は、図３に示すように、パネル１の開口縁部１ａに密着状態で接触している。
【００４０】
なお、筒状部１３は、例えば図１（ｂ）中に示すように、電線群Ｗが片側のグロメット取付部１５をその中心軸線方向に貫通する形状となっているが、図１（ｂ）中の姿勢から所定角度だけ傾斜した傾斜姿勢をとる形状であってもよい。
【００４１】
次に、作用を説明する。
【００４２】
上述のように構成された本実施の形態においては、パネル１の長穴状の開口１ｈの長径方向における少なくとも一端側で、外周嵌合部１２の湾曲領域内における断面積が、外周嵌合部１２の直線領域内における断面積より狭められている。したがって、第１環状部２１を有する外周嵌合部１２の剛性が、パネル１の長穴状の開口１ｈの短径方向の両端側では高く、長穴状の開口１ｈの長径方向の一端側または両端側では低くなっている。
【００４３】
その結果、電線群Ｗや筒状部１３等に作用する外力、例えば図３中の筒状部１３を右側に引っ張るような外力に対し、グロメット１０のパネル１への嵌合固定状態を保持するのに要求される取付剛性を実質的に低下させることなく、グロメット１０に使用される材料使用量を低減させることができ、しかも、グロメット１０の製造工程や製造設備が複雑になることもない。よって、グロメット１０の軽量化およびコスト低減を図ることができる。
【００４４】
しかも、本実施形態では、パネル１の長穴状の開口１ｈの長径方向における少なくとも一端側で、外周嵌合部１２の湾曲領域内における第１環状部２１の半径方向の幅ｗｄ１が、直線領域内における第１環状部２１の幅ｗｄ３に対して狭められている。したがって、周方向長さの大きい外周側で外周嵌合部１２の外径を縮小したり、軸方向長さの大きい内周側で外周嵌合部１２の内径を拡大したりして、所要の減量効果を得ることができる。
【００４５】
加えて、本実施形態では、第１環状部２１の周方向各位置の断面が中実断面であるので、その外周側の湾曲面２１ａの半径を縮小することで、グロメット１０とヒンジ機構２との機械的干渉に対する余裕隙間ｇを有効に増加させることができ、グロメット１０のレイアウトの自由度を高めることできる。
【００４６】
また、内周側の湾曲面２１ｂの半径を拡大することで、ワイヤハーネスの電線群Ｗの配索形状の自由度を高めたりすることができる。
【００４７】
このように、本実施形態においては、グロメット１０の軽量化とその外周嵌合部１２（取付部）の剛性確保とを両立でき、しかも、製造工程および製造設備を簡素にできる低コストのグロメット１０およびそれを備えたドアグロメットを提供することができる。
【００４８】
（第２の実施の形態）
図４は、本発明の第２の実施の形態に係るグロメットを要部側面断面図で示している。
【００４９】
なお、以下に説明する各実施の形態は、上述の第１の実施の形態と外周嵌合部の一部の形状が相違するものの、他の構成については第１の実施の形態と同一または類似する。したがって、以下、第１の実施の形態と同一または類似する構成については図１ないし図３に示す第１の実施の形態中の対応する構成要素の符号を用いつつ、第１の実施の形態との相違点について説明する。
【００５０】
本実施形態のグロメット４０においては、グロメット取付部１５を構成する蓋体部１１および外周嵌合部１２のうち、開口１ｈおよび孔端開口２４の長径方向の一端側における第１環状部２１の軸方向の厚さｈ１が、開口１ｈの短径方向の両端側における第１環状部２１の軸方向の厚さｈ２より小さくなっている。そして、これにより、開口１ｈの長径方向における一端側（図４中で右側）の湾曲領域内での第１環状部２１の周方向各位置の断面積が、開口１ｈの短径方向の両端側における超直線領域内の第１環状部２１の断面積より小さくなっている。
【００５１】
本実施の形態においても、第１環状部２１を有する外周嵌合部１２の剛性が、パネル１の長穴状の開口１ｈの短径方向の両端側では高く、長穴状の開口１ｈの長径方向の一端側では低くなることにより、ワイヤハーネスの電線群Ｗや筒状部１３等に作用する外力、例えば図４中の筒状部１３を同図中の下側に引っ張るような外力に対して、グロメット４０のパネル１への嵌合固定状態を保持するのに要求される剛性を実質的に低下させることなく、グロメット４０に使用される材料使用量を低減させて、グロメット４０の軽量化およびコスト低減を図ることができる。
【００５２】
しかも、本実施形態では、パネル１の長穴状の開口１ｈの長径方向における一端側で、外周嵌合部１２の湾曲領域内における面積の大きい第１環状部２１の厚さｈ１が、直線領域内における第１環状部２１の厚さｈ２より小さくなっているので、所要の減量効果を得ることができるとともに、他部材との干渉を有効に防止できるものとなる。
【００５３】
（第３の実施の形態）
図５（ａ）および図５（ｂ）に、本発明の第３の実施の形態に係るグロメットを示す。
【００５４】
本実施の形態においては、パネル１の長穴状の開口１ｈの長径方向における両端側で、外周嵌合部１２の湾曲領域内における周方向角位置の断面積が、外周嵌合部１２の直線領域内における各位置の断面積より狭められている。
【００５５】
具体的には、第１の実施の形態と同様に、パネル１の開口１ｈの長径方向における両端側で、外周嵌合部１２の湾曲領域内における第１環状部２１の半径方向の幅ｗｄ１が、直線領域内における第１環状部２１の幅ｗｄ３に対して狭められている。しかし、第１の実施の形態とは異なり、周方向長さの大きい外周側で外周嵌合部１２の外径を縮小するのに加えて、軸方向長さの大きい内周側で外周嵌合部１２の内径を拡大している。
【００５６】
したがって、第１環状部２１を有する外周嵌合部１２の剛性が、パネル１の長穴状の開口１ｈの短径方向の両端側では高く、長穴状の開口１ｈの長径方向の両端側では低くなっている。その結果、本実施形態では、ワイヤハーネスの電線群Ｗや筒状部１３等に作用する外力、例えば図５（ｂ）中の筒状部１３を図中の下側に引っ張るような外力に対して、グロメット５０のパネル１への嵌合固定状態を保持するのに要求される剛性を実質的に低下させることなく、グロメット５０に使用される材料使用量を低減させて、グロメット５０の軽量化およびコスト低減を図ることができる。
【００５７】
加えて、第１環状部２１の長径方向の両端側で、外周側の湾曲面２１ａの半径を縮小するので、グロメット５０とヒンジ機構２等の他部材との機械的干渉に対する余裕隙間をより有効に増加させることができ、グロメット５０のレイアウトの自由度をより高めることできる。また、内周側の湾曲面２１ｂの半径を孔端開口２４の長径方向両端側で拡大するので、ワイヤハーネスの電線群Ｗの配索形状の自由度をもより高めることができる。
【００５８】
（第４の実施の形態）
図６は、本発明の第４の実施の形態に係るグロメットを要部側面断面図で示している。
【００５９】
本実施形態のグロメット６０においては、グロメット取付部１５を構成する蓋体部１１および外周嵌合部１２のうち、開口１ｈ（および孔端開口２４）の長径方向の両端側における第１環状部２１の軸方向の厚さｈ１が、それぞれ開口１ｈの短径方向の両端側における第１環状部２１の軸方向の厚さｈ２より小さくなっている。そして、これにより、開口１ｈの長径方向における両端側（図６中で左右両端側）の湾曲領域内での第１環状部２１の周方向各位置の断面積が、開口１ｈの短径方向の両端側における超直線領域内の第１環状部２１の断面積より小さくなっている。
【００６０】
本実施の形態においても、第１環状部２１を有する外周嵌合部１２の剛性が、パネル１の長穴状の開口１ｈの短径方向の両端側では高く、長穴状の開口１ｈの長径方向の両端側では低くなることにより、ワイヤハーネスの電線群Ｗや筒状部１３等に作用する外力、例えば図６中の筒状部１３を同図中の下側に引っ張るような外力に対して、グロメット６０のパネル１への嵌合固定状態を保持するのに要求される剛性を実質的に低下させることなく、グロメット６０に使用される材料使用量を低減させて、グロメット６０の軽量化およびコスト低減を図ることができる。
【００６１】
しかも、本実施形態では、パネル１の長穴状の開口１ｈの長径方向における両端側で、外周嵌合部１２の湾曲領域内における面積の大きい第１環状部２１の厚さｈ１が小さくなっているので、所要の減量効果を高めることができるとともに、他部材との干渉をより有効に防止できるものとなる。
【００６２】
なお、上述の各実施の形態においては、開口の形状を長円状としていたが、長径および短径を有する略長方形の開口であって四隅に円弧状の湾曲面を有するような開口形状であってもよく、その場合、外周側や内周側の湾曲面は、それら四隅の湾曲面となる。
【００６３】
また、各実施の形態では、蓋体部１１の中心部に挿通孔１１ｈおよび筒状部１３を配置していたが、挿通孔１１ｈの中心位置を蓋体部１１の中心からオフセットさせてもよく、そのオフセット方向に応じて、外周嵌合部１２の断面積を縮小する長穴状の開口１ｈの長径方向の一端側を設定してもよい。
【００６４】
さらに、長径方向の両端側における第１環状部２１の軸方向の厚さｈ１が短径方向の両側における第１環状部２１の軸方向の厚さｈ２より小さくなる場合、孔端開口２４の開口縁側から第１環状部２１の外周面に近付くほど軸方向の厚さが厚さｈ２から厚さｈ１に漸減するようにしてもよい。
【００６５】
また、各グロメットの軸方向における第１環状部２１の両面のうちパネル１から離れる端面２１ｅが、開口１ｈおよび孔端開口２４の短径方向の両端側の略平行部分の端面２１ｆ（図４参照）よりもパネル１側に位置するのがよいが、併せて、パネル１側の端面の一部、例えばその端面の内周側部分が開口の短径方向の両端側における同端面の略平行部分よりもパネルから離れていてもよい。
【００６６】
以上説明したように、本発明は、グロメットの軽量化と取付剛性の確保とを両立でき、しかも、製造工程および製造設備を簡素にできる低コストのグロメットを提供することができるものであり、パネルの開口部を貫通するワイヤハーネスを保護するグロメット、特にドアグロメット等に好適なグロメット全般に有用である。
【符号の説明】
【００６７】
１  パネル
１ａ  開口縁部（開口の内周縁部）
１ｈ  長穴状の開口
２  ヒンジ機構
１０、４０、５０、６０  グロメット
１１  蓋体部
１１ｈ  挿通孔
１２  外周嵌合部（取付部）
１３  筒状部
１３ａ  一端部
１５  片側のグロメット取付部
２１  第１環状部
２１ａ  外周側の湾曲面
２１ｂ  内周側の湾曲面
２１ｃ  仮想の湾曲面（長径方向の一端側における外周側の仮想の湾曲面）
２１ｄ  仮想の湾曲面（長径方向の他端側における内周側の仮想の湾曲面）
２１ｅ  第１環状部のパネルから離れる端面
２１ｆ  短径方向の両端側の略平行部分の端面
２１ｐ  外周面の略平行部分
２１ｑ  内周面の略平行部分
２２  第２環状部
２３  くびれ部
ｈ１  軸方向の厚さ（長径方向の一端側における第１環状部の軸方向の厚さ）
ｈ２  軸方向の厚さ（短径方向の両端側における第１環状部の軸方向の厚さ）
Ｗ  ワイヤハーネスの電線群
ｗｄ１  湾曲領域内での第１環状部の幅（長径方向の一端側における第１環状部の幅）
ｗｄ２  湾曲領域内での第１環状部の幅（長径方向の他端側における第１環状部の幅）
ｗｄ３  直線領域内での第１環状部の幅（短径方向の両端側における第１環状部の幅）
【図１】
2015202847.tif 000003
【図２】
2015202847.tif 000004
【図３】
2015202847.tif 000005
【図４】
2015202847.tif 000006
【図５】
2015202847.tif 000007
【図６】
2015202847.tif 000008